【事件の表示】
　特願２０１２−１８９１０７「パネル部材および光学デバイス」拒絶査定不服審判事件〔平成２６年　３月１７日出願公開，特開２０１４−　４８３４３，請求項の数（１９）〕について，次のとおり審決する。
【結　論】
　原査定を取り消す。
　本願の発明は，特許すべきものとする。
【理　由】
第１　手続の経緯
　本件拒絶査定不服審判事件に係る出願（以下，「本願」という。）は，平成２４年８月２９日の出願であって，平成２８年４月２６日付けで拒絶理由が通知され，同年６月１３日に意見書及び手続補正書が提出されたが，同年６月２９日付けで拒絶査定（以下，「原査定」という。）がなされたものである。
　本件拒絶査定不服審判は，これを不服として，同年８月４日に請求されたものであって，本件審判の請求と同時に手続補正書が提出され，当審において，平成２９年７月７日付けで拒絶理由（以下，「当審拒絶理由」という。）が通知され，同年８月２９日に意見書及び手続補正書が提出された。
第２　本願の請求項１及び８に係る発明
　本願の請求項１ないし１９に係る発明は，平成２９年８月２９日提出の手続補正書によって補正された請求項１ないし１９に記載された事項によって特定されるとおりのものと認められるところ，そのうちの請求項１及び８の記載は次のとおりである。なお，請求項２ないし７は，いずれも，請求項１の記載を直接又は間接的に引用する形式で記載されたものであり，請求項９ないし１９は，いずれも，請求項１又は８の記載を直接又は間接的に引用する形式で記載されたものであって，請求項２ないし７及び９ないし１９に係る発明は，いずれも，請求項１又は８に係る発明の発明特定事項を全て有し，他の発明特定事項を付加したものに該当する。
「【請求項１】
　対向して配置された第１面および第２面を有する光制御シートと，
　前記光制御シートの前記第２面に対向して配置された光反射シートと，を備え，
　前記光制御シートの第２面は，前記光制御シートのシート面と平行な一方向に配列された複数の第１傾斜面と，前記一方向に配列された複数の第２傾斜面と，を含み，前記第１傾斜面および前記第２傾斜面は前記一方向に交互に配列され，
　前記光制御シートの法線方向と前記一方向との両方に平行な断面において，前記第１傾斜面および前記第２傾斜面は，前記光制御シートの法線方向に関して逆方向に傾斜し，
　前記第１傾斜面が，前記光制御シートの法線方向と前記一方向との両方に平行な断面において，前記光制御シートのシート面に対してなす角度θａは，前記光反射シートの側で小さくなるように変化し，
　前記第１傾斜面の前記角度θａ，及び，前記第２傾斜面が，前記光制御シートの法線方向と前記一方向との両方に平行な断面において，前記光制御シートのシート面に対してなす角度θｂは，前記光制御シートへ前記第１面から入射して前記第１傾斜面へ進む光の少なくとも一部分が，前記第１傾斜面で全反射して前記第２傾斜面へ向かい，前記第２傾斜面でさらに全反射して前記光制御シートの前記第１面へ向かい，前記第１面から外部へ出射されるような角度に設定されている，パネル部材。」（以下，当該請求項１に係る発明を「本願発明」という。）
「【請求項８】
　シート状の本体部と，前記本体部上に一方向に沿って配列された複数の単位要素と，を有する光制御シートと，
　前記光制御シートの前記単位要素が設けられている側に配置された光反射シートと，を備え，
　各単位要素は，一方向における一側に配置された第１傾斜面と，一方向における他側に配置された第２傾斜面と，を有し，
　前記光制御シートの法線方向と前記一方向との両方に平行な断面において，前記第１傾斜面および前記第２傾斜面は，前記光制御シートの法線方向に対して逆方向に傾斜し，
　前記第１傾斜面が，前記光制御シートの法線方向と前記一方向との両方に平行な断面において，前記光制御シートのシート面に対してなす角度θａは，前記光反射シートの側で小さくなるように変化し，
　前記第１傾斜面の前記角度θａ，及び，前記第２傾斜面が，前記光制御シートの法線方向と前記一方向との両方に平行な断面において，前記光制御シートのシート面に対してなす角度θｂは，前記光制御シートへ入射して前記第１傾斜面へ進む光の少なくとも一部分が，前記第１傾斜面で全反射して前記第２傾斜面へ向かい，前記第２傾斜面でさらに全反射して前記光制御シートから外部へ出射されるような角度に設定されている，パネル部材。」
第３　原査定の拒絶の理由の概要
　原査定の拒絶の理由は，概略次のとおりである。
　本願の請求項３ないし９及び１２ないし２３（審決注：平成２８年６月１３日提出の手続補正書による補正後の請求項３ないし９及び１２ないし２３であり，平成２９年８月２９日提出の手続補正書による補正後の請求項１ないし１９に対応する。）に係る発明は，その出願前に日本国内又は外国において，頒布された下記の刊行物に記載された発明又は電気通信回線を通じて公衆に利用可能となった発明及び周知の事項に基いて，その出願前にその発明の属する技術の分野における通常の知識を有する者が容易に発明をすることができたものであるから，特許法２９条２項の規定により特許を受けることができない。
　　　　　　　　　　　　　　　　　記
引用文献１：特開平１１−１７４２１４号公報
引用文献２：特開２０１２−１３３０８１号公報
引用文献３：特開２００８−２９９２１９号公報
　引用文献１又は引用文献２に記載された発明において，引用文献３に示されるような周知の技術を適用して，本願の請求項３ないし９及び１２ないし２３に係る発明のように構成することは，当業者が容易に想到し得たことである。
第４　当審拒絶理由の概要
　当審拒絶理由は，概略次のとおりである。
　本願の請求項１ないし１９（審決注：平成２８年８月４日提出の手続補正書による補正後の請求項１ないし１９である。）の記載は，本件明細書の発明の詳細な説明の記載により，あるいは，当該記載や示唆がなくとも出願時の技術常識に照らし，当業者が発明の課題を解決できると認識できる範囲のものでないから，特許法３６条６項１号に規定する要件を満たしていない。
第５　原査定の拒絶の理由についての判断
１　引用文献１に記載された発明を主引例とする拒絶の理由について
（１）引用例
　ア　引用文献１
（ア）引用文献１の記載
　引用文献１は，本願の出願前に頒布された刊行物であるところ，当該引用文献１には次の記載がある。（下線は，後述する引用発明の認定に特に関係する箇所を示す。）
　ａ　「【０００１】
【発明の属する技術分野】この発明は，指向性反射板およびそれを用いた反射型表示装置に関するものである。
【０００２】
【従来の技術】従来，反射型表示装置は，図４に示すように，例えば液晶表示パネルなどの透過型表示パネル１と，この表示パネル１の後面に対向させて配置された散乱反射板２とにより構成されている。
【０００３】この
反射型表示装置は，表示パネル１の前方から入射する自然光や室内光などの外光を
散乱反射板２により反射し，その反射光で表示パネル１を後面から照明して表示する
【０００４】なお，反射型表示装置は，一般に，その画面の上縁側から主に外光を取り込むように，前面画面の法線に対して画面の上縁側（図４において左側）に傾いた方向を明るい外光が得られる方向に向けて使用されており，その表示は，正面方向，つまり画面の法線近傍の方向，あるいはやや画面の下縁側に傾いた方向の付近から観察されている。
【０００５】
【発明が解決しようとする課題】しかし，上記散
乱反射板２を用いた従来の反射型表示装置は，その表示が暗いという問題をもっている
【０００６】すなわち，表示装置の表示は，上述したように正面方向（画面に垂直な方向の付近）から観察されるのが普通であるが，従来の反射型表示装置は，
表示パネル１の前面に出射する光の広がり角が大きく，その出射光のうちの一部の正面方向に向かって出射する光が観察者に観察され，他の斜め方向に向かって出射する光は観察者にはほとんど見えないため，観察される表示が暗くなってしまう
【０００７】この発明は，所定の方向に高輝度の反射光を出射することができる指向性反射板を提供するとともに，所定の方向から観察される表示を充分に明るくすることができる反射型表示装置を提供することを目的としたものである。
【０００８】
【課題を解決するための手段】この発明の指向性反射板は，平担な反射面を有する反射部材と，前面が平坦で，後面に所定方向に沿う溝状凹部が複数列に形成され，前記後面を前記反射部材の反射面に対向させて配置された第１の導光部材と，前記第１の導光部材の各溝状凹部内を占有する前記第１の導光部材よりも屈折率の小さい第２の導光部材とからなり，前記第１の導光部材の溝状凹部は，前記反射部材の反射面の法線に対する傾き角度が異なる少なくとも２つの傾斜面を有し，前記傾斜面と前記第２の反射部材との境界面が，前記
境界面への入射光をその入射角に応じて反射または透過させる光学界面を形成し，前記第１の導光部材の前面から所定の入射角度範囲で入射した光を所定の方向に前記入射光の入射角度範囲より小さい広がり角で出射する
【０００９】また，この発明の反射型表示装置は，透過型表示パネルと，この表示パネルの後面に対向させて配置された，前面からの入射光を反射し，その反射光を所定の方向に前記入射光の入射角度範囲より小さい広がり角で前面に出射する指向性反射板とを備えたことを特徴とするものであり，この反射型表示装置によれば，所定の方向から観察される表示を充分に明るくすることができる。」
　ｂ　「【００１４】
【実施例】図１および図２はこの発明の第１の実施例を示しており，図１は
指向性反射板を備えた反射型表示装置
【００１５】この実施例の表示装置は，図１に示すように，
透過型表示パネル１０と，この表示パネル１０の後面に対向させて配置された指向性反射板１１
【００１６】前記
指向性反射板１１は，
鏡面反射をする平担面状の反射面１２ａを有する反射部材１２と，前面が平坦で，後面に所定方向に沿う溝状凹部１４を互いに平行に複数列に形成し，前記後面を前記反射部材１２の反射面１２ａに対向させて配置された第１の導光部材１３と，この第１の導光部材４の各溝状凹部１４内に設けられた前記第１の導光部材１３よりも屈折率の小さい第２の導光部材１５とからなっている
【００１７】前記第１の導光部材１３は，アクリルまたはトリアセチルセルロース（ＴＡＣ）などの透明樹脂材料（望ましくは光学異方性を持たない透明樹脂材料）からなっており，その後面の全域に，その横幅（図において紙面の表裏方向の幅）全長にわたる長さの溝状凹部１４が複数列互いに平行に形成されている。
・・・（中略）・・・
【００２０】
前記第１の導光部材１３の後面に形成された前記溝状凹部１４は，互いに逆向きに傾斜する２つの側面を有する断面Ｖ字状の溝状凹部であり，これらの溝状凹部１４の両側面は，前記第１の導光部材１３の前面の法線に対し，前記溝状凹部１４の深さ方向に向かって互いに異なる傾き角度で傾斜している
【００２１】これらの
溝状凹部１４は，所定の間隔で互いに平行に形成されており
前記第１の導光部材１３の各溝状凹部１４の間の平坦な部分の後面はそれぞれ，この導光部材１３の前面と平行な面となっている
【００２２】なお，図１では便宜上，第１の導光部材１３の各溝状凹部１４を大きく誇張して示しているが，例えば，第１の導光部材１３の後面に形成された前記各溝状凹部１４の幅（Ｖ字型の溝の最も広い幅）は，４０〜１００μｍ程度の極く小さい幅に設定されており，そのときの，各溝状凹部１４は，５０〜１５０μｍ間隔に平行に設定され，反射部材と接する部分の各後面の幅は，前記溝状凹部１４の幅の１／４〜１／２の比程度に設定されている。
【００２３】前記第１の導光部材１３は，その
各溝状凹部１４の間の部分の面を前記反射部材１２の反射面１２ａに接面させて，この反射部材１２上に
透明な粘着剤
により貼り付けられている
【００２４】また，前記
第１の導光部材１３の各溝状凹部１４内を占有するように設けられた第２の導光部材１５は，
空気層
【００２５】そして，
前記第１の導光部材１３と前記第２の導光部材１５との界面は，その面への入射光をその入射角に応じて反射または透過させる光学界面１６ａ，１６ｂとなっている
【００２６】この光学界面１６ａ，１６ｂはそれぞれ，第１の導光部材１３の前面および反射部材１２の反射面１２ａの法線に対する一方の光学界面１６ａの
傾き角度θ１と
傾き角度θ２とは，θ１＞θ２の関係にある
【００２７】上記指向性反射板１１では，図１に示したように，前記溝状凹部１４の両側の光学界面１６ａ，１６ｂのうちの反射部材１２の反射面１２ａの法線に対する傾き角度が大きい方の光学界面１６ａ（傾き角度θ１）が，表示装置の主な外光取り込み方向である画面（表示パネル１０の前面）の上縁側（図１において左側）に向けて，そして前記傾き角度の小さい方の光学界面１６ｂ（傾き角度θ２）が画面の下縁側に位置する観察者に向けて，表示パネル１０の背後に配置されている。
【００２８】この表示装置は，その表示装置の画面を，つまり表示パネル１０の前面に入射する自然光や室内光などの外光を前記指向性反射板１１により反射し，その反射光で表示パネル１０を後面から照明して表示するものであり，表示パネル１０の前面に入射した外光は，図に矢線で示すように，表示パネル１０を透過して指向性反射板１１により反射され，表示パネル１０にその後面から再度入射して，この表示パネル１０の前面より出射する。
【００２９】この場合，反射型表示装置は，その画面に垂直な方向に対して画面の上縁側に傾いた方向を明るい外光が得られる方向に向けて，下縁側に傾いた方向から観察するのが普通であるため，外光は主に画面の上縁側から取り込まれる。
・・・（中略）・・・
【００３９】前記第１の導光部材１３の前面から出射する光は，図１に示すように，第１の導光部材１３の前面に入射した光の入射角度範囲よりも小さい広がり角の光であり，その出射方向は，前記第１および第２の導光部材１３，１５の屈折率と，前記溝状凹部１４の両側の光学界面１６ａ，１６ｂの傾き角度θ１，θ２とによって決まる。
【００４０】すなわち，
上記指向性反射板１１は，第１の導光部材１３の前面から入射した所定の入射角度範囲の入射光および反射部材１２で反射された反射光を，
光学界面１６ａ，１６ｂで屈折させ，前記反射光を前記第１の導光部材１３の前面から，所定の方向に前記入射光の入射角度範囲より小さい広がり角で出射する
【００４１】この
指向性反射板１１の反射光の出射方向は
傾き角度θ１，θ２とによって決まるため，これらを適切に選ぶ
【００４２】図１および図２に示した指向性反射板１１は，前記第２の導光部材１５が屈折率が１の空気層であり，第１の導光部材１３の屈折率が１．６３±０．０５，前記溝状凹部１４の両側の光学界面１６ａ，１６ｂのうちの主な光の入射方向に傾斜した一方の光学界面１６ａの傾き角度θ１が３０°±５°，他方の光学界面１６ａの傾き角度θ２が２０°±５°のものであり，この指向性反射板１１は，前記傾き角度が大きい方の光学界面１６ａの傾き方向から様々な入射角で入射した光の反射光を正面方向に集光させて出射するものである。
・・・（中略）・・・
【００４６】したがって，この反射型表示装置によれば，表示パネル１１に，所定の方向より外光を入射させて，観察者のほうに小さい広がり角の反射光を出射させることができ，所定の方向から観察される表示を充分に明るくすることができる。」
　ｃ　「【００５９】
【発明の効果】この発明の指向性反射板は，反射部材の反射面に，後面に所定方向に沿う溝状凹部を複数列に形成された第１の導光部材の前記後面を対向させ，この第１の導光部材の各溝状凹部内に前記第１の導光部材よりも屈折率の小さい第２の導光部材を設けて，前記第１の導光部材と前記第２の導光部材との界面を，その面への入射光をその入射角に応じて反射または透過させる光学界面とするとともに，前記光学界面をそれぞれ，前記反射部材の反射面の法線に対し，互いに異なる向きと傾き角度で傾斜する傾斜面としたものであるから，前記第１の導光部材の前面に入射した所定の入射角度範囲の入射光および前記反射部材で反射された反射光を前記光学界面で屈折させ，前記反射光を前記第１の導光部材の前面より，所定の方向に前記入射光の入射角度範囲より小さい広がり角で出射して，所定の方向に高輝度の反射光を出射することができる。
【００６０】また，この指向性反射板の反射光の出射方向は，前記第１および第２の導光部材の屈折率と，前記両側の光学界面の傾き角度とによって決まり，これらを適当に選ぶことにより，反射板の正面方向，つまり前記第１の導光部材の前面の法線近傍の正面方向に光を出射することができる。」
　ｄ　「【図面の簡単な説明】
【図１】この発明の第１の実施例を示す指向性反射板を備えた反射型表示装置の側面図。
【図２】前記指向性反射板の一部分の拡大側面図。
・・・（中略）・・・
【図４】従来の反射型表示装置の側面図。
・・・（中略）・・・
【図１】　　　　　　　　　　　　　　　　　　　　　　　　　　　　　
【図２】　　　　　　　　　　　　　　　　　　　　　　　　　　　　　
・・・（中略）・・・
【図４】　　　　　　　　　　　　　　　　　　　　　　　　　　　　　
」
（イ）引用文献１に記載された発明
　前記（ア）で摘記した引用文献１の記載から，引用文献１に次の発明が記載されていると認められる。
「前方から入射する自然光や室内光などの外光を透過型表示パネル１０の後面で反射し，その反射光によって透過型表示パネル１０を後面から照明して表示する反射型表示装置において，外光を反射するための反射板として用いられる指向性反射板１１であって，
　鏡面反射をする平担面状の反射面１２ａを有する反射部材１２と，
　前面が平坦で，後面に所定方向に沿う溝状凹部１４が所定の間隔で互いに平行に複数列に形成され，各溝状凹部１４の間の平坦な部分がそれぞれ前記前面と平行な面となっている第１の導光部材１３と，
を有し，
　前記反射部材１２と前記第１の導光部材１３は，透明な粘着剤により，前記第１の導光部材１３の後面の各溝状凹部１４の間の平坦な部分を前記反射部材１２の反射面１２ａに接面させて貼り付けられ，前記各溝状凹部１４内が空気層とされており，
　前記第１の導光部材１３の溝状凹部１４は，互いに逆向きに傾斜する２つの側面を有する断面Ｖ字状であって，これらの溝状凹部１４の両側面は，前記第１の導光部材１３の前面の法線に対し，前記溝状凹部１４の深さ方向に向かって互いに異なる傾き角度θ１，θ２で傾斜していて，前記両側面と前記空気層との界面が，当該界面への入射光をその入射角に応じて反射又は透過させる光学界面１６ａ，１６ｂを形成し，前記傾き角度θ１と前記傾き角度θ２はθ１＞θ２の関係にあり，
　前記第１の導光部材１３の前面から入射した所定の入射角度範囲の入射光および反射部材１２で反射された反射光１５を，前記第１の導光部材１３の前面から，所定の方向に前記入射光の入射角度範囲より小さい広がり角で出射するように前記傾き角度θ１，θ２が設定されている，
　指向性反射板１１。」（以下，「引用発明」という。）
　イ　引用文献３
（ア）引用文献３の記載
　引用文献３は，本願の出願前に頒布された刊行物であるところ，当該引用文献３には次の記載がある。（下線は，後述する引用文献３記載事項の認定に特に関係する箇所を示す。）
　ａ　「【技術分野】
【０００１】
　本発明は，
投射装置から投射された画像を映し出す反射型スクリーン
近い距離から画像を投射可能な反射型スクリーン
【背景技術】
【０００２】
　ＣＲＴや液晶を用いて画像を拡大して投影するプロジェクタ，透明なシート上に描かれた画像を拡大して投影するＯＨＰ（オーバーヘッドプロジェクタ）では，画像をスクリーンに投影することが一般的である。プロジェクタ等をスクリーンの正面に設置することが好ましいが，視聴者の位置等の制約からプロジェクタ等をスクリーンの正面からずらす場合が少なくない。
【０００３】
　例えば，スクリーンの下方にプロジェクタ等を配置した場合，スクリーンの下方と上方とでは投射光のスクリーンへの入射角が異なることから下方から上方にかけて輝度が低下するという問題がある。
・・・（中略）・・・
【発明が解決しようとする課題】
【０００７】
　ところで，プロジェクタ等の配置的な制約からスクリーンとプロジェクタ等の距離はますます至近になる傾向がある。・・・（中略）・・・従来の反射型のスクリーンでは，プロジェクタ等からのスクリーンへの入射角が大きくなると実質的な明るさが低下する。
【０００８】
　例えば入射角２０度近傍に対し入射角５０度になると，実質光量比が５０％となるなど，従来のスクリーンでは，入射角に応じて周辺の輝度（実質明るさ）が低下するという問題がある。この輝度の低下は，プロジェクタ等の焦点距離から定められた正規の投影位置が至近であるほど，正規の投影位置からの距離の変化に敏感に生じる。投影位置が比較的遠いプロジェクタ等の場合，スクリーンの拡散面が光を拡散するためスクリーンとの距離が変化してもそれほど急激な輝度の低下は生じない。
【０００９】
　したがって，プロジェクタ等のスクリーンでは，投影位置が至近になるほど配置的な制約から生じる距離の変化を吸収して輝度ムラ及び輝度低下を抑制することが要求される。
・・・（中略）・・・
【００１１】
　そこで，本発明は，至近距離から投射光が投射される場合に，投射位置が変動しても輝度変動及び輝度ムラを低減して，高品質な画像を表示するスクリーン，及び，投射装置と組み合わせた表示システムを提供することを目的とする。
【課題を解決するための手段】
【００１２】
　上記課題に鑑み，本発明は，至近距離の投射装置から投射された画像を映し出す反射型スクリーンであって，位置Ａから投射された投射光を略同一方向に反射する第１反射面と，位置Ａとは異なる位置Ｂから投射された投射光を略同一方向に反射する第２反射面と，を有することを特徴とする。
【００１３】
　本発明によれば，スクリーンに入射する投射光の入射角によって，スクリーン面の輝度低下を防止すると共に，投射装置とスクリーンの位置関係が変わっても，輝度変化を抑制することができる。
・・・（中略）・・・
【発明の効果】
【００３８】
　至近距離から投射光が投射される場合に，投射位置が変動しても輝度変動及び輝度ムラを低減して，高品質な画像を表示するスクリーン，及び，投射装置と組み合わせた表示システムを提供することができる。」
　ｂ　「【発明を実施するための最良の形態】
【００３９】
　以下，本発明を実施するための最良の形態について図面を参照しながら実施例を挙げて説明する。
【００４０】
　図１（ａ）は，スクリーン１００と投射装置５０からなる表示システム１０の一例を示す。
投射装置５０は，スクリーン１００に対し至近な距離（例えば，１００ｃｍ未満）に設置された
【００４１】
　本実施形態のスクリーン１００は，このような至近距離に設置する投射装置５０に対し，例えば交点Ｏ付近と離れた位置の輝度ムラを低減するだけでなく，至近距離であるが故にスクリーン１００に対しわずかな距離を移動しただけで大きく低下しうる輝度を，距離変動に対しロバストにすることを可能にする。
【実施例１】
【００４２】
　図１（ａ）のように投射装置５０を配置した場合，投射装置５０とスクリーン１００との等距離線は図１（ｂ）のように交点Ｏを中心とした同心円を描く。したがって，この同心円の半径方向に沿って，投射光１４の入射角が大きくなる。以下では，交点Ｏを中心とする同心円の半径方向に沿って遠近方向（交点Ｏから離れるほど遠い）を定義する。また，投射装置５０は図示するようにスクリーン１００の下端にあるとして説明するが，右端，左端，左右上下の頂点のいずれにあってもよく，その場合，スクリーン１００上の遠近方向も投射装置５０の位置に対し相対的に定まるものになる。
【００４３】
　図２，３は，本実施例のスクリーン１００を構成する反射面１１の断面図の一例を示す図である。図２（ａ）と図３（ａ）は，投射装置５０とスクリーン１００の側面図を，図２（ｂ）と図３（ｂ）は図１（ａ）に示したスクリーン１００のＬＬ線断面図をそれぞれ示す。
【００４４】
　本実施例の
スクリーン１００の反射面１１は，投射距離Ａに対応した一連の反射面１２Ａと，投射距離Ｂに対応した一連の反射面１２Ｂとから構成される
一連の反射面１２Ａには，スクリーン１００から所定の投射距離Ａだけ離れた位置に設置された投射装置５０から投射される投射光１４の反射光１５が観察者側へ向かって反射するような傾斜角度αが形成されている
　ここで，
投射距離Ａに設置された投射装置５０に対して，最適な反射光１５となるような角度に設定された一連の反射面１２Ａの要素を反射素子面（Ｒｆ１＿ｉ）と定義する。すなわち，反射素子面Ｒｆ１＿１，反射素子面Ｒｆ１＿２，反射素子面Ｒｆ１＿３…から一連の反射面１２Ａが構成される
【００４５】
　
一連の反射面１２Ａは反射素子面Ｒｆ１＿ｉが連なって構成され，交線ｄ，ｍ，ｕに示すようにスクリーン１００への入射角が遠方ほど大きくなることに対応して，各反射素子面Ｒｆ１＿ｉは遠方ほどスクリーン１００に対する傾斜角度αが大きくなっている
【００４６】
　図２（ａ）に示すように，一連の反射面１２Ａの傾斜角度αは，投射距離Ａにおいて，投射光１４が観察者側に向かうような角度に設定した。最も好適な傾斜角度αは，投射光１４とこの投射光１４の正反射光が観察者側に向かうような角度である。交点Ｏから遠方に行くほど，一連の反射面１２Ａの角度を大きくすることにより効率よく観察者側に投射光１４が反射されるようになる。
　また，ここでいう観察者側とは，投射装置５０から投射した画像を本実施形態のスクリーン１００に映し出したときに画像を観察している，あるいは，鑑賞している人物等の方向を示す。具体的には，スクリーン面の法線方向が望ましい。また，スクリーン１００からある一定の距離だけはなれた位置を想定し，その位置へ向かうような方向でもよい。
【００４７】
　図３（ａ）（ｂ）は，図２（ａ）（ｂ）と同様な構成を示す図であるが，図３（ａ）（ｂ）は，投射装置５０が
投射距離Ａよりも短い投射距離Ｂ
に設置された投射装置５０に対して，最適な反射光１５となるような角度に設定された一連の反射面１２Ｂの要素を反射素子面（Ｒｆ２＿ｉ）と定義する
【００４８】
　一連の反射面１２Ｂは，一連の反射面１２Ａと同様，反射素子面Ｒｆ２＿ｉが連なって構成され，交線ｄ，ｍ，ｕに示すようにスクリーン１００への入射角が遠方ほど大きくなることに対応して，各反射素子面Ｒｆ２＿ｉは遠方ほどスクリーン１００に対する
傾斜角度β
【００４９】
　構成上独立した反射素子面（Ｒｆ２＿ｉ）は，遠方に行くほど傾斜角度βが大きくなるという点で互いに関連しており，１つのグループとして扱ってもよい。傾斜角度βは，反射素子面Ｒｆ２＿ｉ毎に全て異なるように一様に大きくなっていてもよいし，所定数毎に段階的に大きくなっていてもよい。
【００５０】
　図３（ａ）に示すように，一連の反射面１２Ｂの傾斜角度βは，投射距離Ｂにおいて，投射光１４が観察者側に向かうような角度に設定されている。最も好適な傾斜角度βは，投射光１４とこの投射光１４の正反射光が観察者側に向かうような角度である。交点Ｏから遠方に行くほど，一連の反射面１２Ｂの角度を大きくすることにより効率よく観察者側に投射光１４が反射されるようになる。
【００５１】
　投射距離Ａ＞投射距離Ｂの関係から明らかなように，スクリーン１００上の位置が同じであれば，傾斜角度β＞傾斜角度αである。
【００５２】
　
一連の反射面１２Ａ，１２Ｂの配置方向
投射レンズの光軸とスクリーン１００が交わる位置を中心とした同心円の半径方向に沿って一連の反射面１２Ａが形成されている
【００５３】
　図４は，投射装置５０の位置と一連の反射面１２Ａ，１２Ｂの形成方向の関係を説明する図である。図４（ａ）は，光軸とスクリーン１００の交点Ｏから同心円の半径方向に沿って遠方になるほど一連の反射面１２Ａ，１２Ｂの傾斜角α，βが大きくなっている。
【００５４】
　また，図４（ｂ）に示すように，投射装置５０の光軸とスクリーン１００の交点Ｏがスクリーン１００の左端上にある場合，その交点Ｏから同心円の半径方向に沿って遠方になるほど一連の反射面１２Ａ，１２Ｂの傾斜角α，βが大きくなる。なお，必ずしも厳密に同心円を描かないとしてもよく，極端な例としては，図４（ｃ）に示すように，光軸とスクリーン１００の交点Ｏが左端にある場合，右方向に行くほど傾斜角を大きくしてもよい。
【００５５】
　本実施例のスクリーン１００は，
反射素子面（Ｒｆ１＿ｉ）と，反射素子面（Ｒｆ２＿ｉ）がスクリーン１００内に混在している
反射素子面Ｒｆ１＿ｉを所定数おきにＲｆ２＿ｉで置き換えた構成を有する
【００５６】
　ほぼ同位置では傾斜角度β＞傾斜角度αであるので，同心円の半径方向に沿って所定数以上の反射素子面（Ｒｆ１＿ｉ及びＲｆ２＿ｉ）を取り出せば，傾斜角度βの領域と傾斜角度αの領域が交互に現れながら（１周期），徐々に傾斜角度α及びβが大きくなっていく。
【００５７】
　ここで図５（ａ）では，反射素子面Ｒｆ２＿ｉはスクリーン１００上の位置の中央程度までしか配置されていない。したがって，上部では投射距離Ａに対応する反射素子面Ｒｆ１＿ｉしかないが，中央部までは傾斜角度が２種類混在したような断面構造を有している。また，交点Ｏに近づくほど，反射素子面Ｒｆ１＿ｉとＲｆ２＿ｉの傾斜角度αとβは同じような角度となっていく。
【００５８】
　より好ましくは，図５（ｂ）に示すように，下部から上部まで反射素子面Ｒｆ１＿ｉとＲｆ２＿ｉを混在させる構成とすることで，ズーム機能を備えた投射装置５０や焦点距離の異なる複数の投射装置５０などへの対応が容易となる。
・・・（中略）・・・
【００６０】
　スクリーン１００は，
鋸歯状に形成された反射面１１を
透明部材１３で全体を被覆して構成
・・・（中略）・・・
【００６５】
　ところで，これまでスクリーン１００は，平面側（透明部材１３側）から投射光１４を入射させる構造の実施例を示したが，図６に示すように，
投射光１４が直接反射面１１で反射して観察者側にむかわせる構造
【実施例２】
【００８０】
　実施例１では，反射面１１を鋸波状の平面で構成したが，無限数の反射素子面Ｒｆ＿ｉ（ｎ：１，２，３，…）を想定すれば，反射素子面Ｒｆｎ＿ｉを混在させることで反射面１１を複数の曲面により構成できる。このような構成とすることで，反射面１１の拡散効果が高まり，平面で構成したときに適正な投射距離に対し投射位置がずれても画面内の均一性の低下を起しにくくなる。
【００８１】
　図１４は，
反射面１１を凹面２１で構成したスクリーン１００
【００８２】
　１つの凹面２１は，
一方
の傾斜角がほぼゼロで，他方
の傾斜角は最も近い投射距離に最適化された
傾斜角になっている
【００８３】
　所定の投射距離から投射された
投射光１４は，凹面２１内の各部にてそれぞれ正反射し，反射光１５にある程度の角度θｄをつけることができる。すなわち，すべての反射光１５が観察者側への並行光とはならないが，ある程度の幅をもたせることで
投射位置が変わっても画面内の均一性の低下を抑制できる。
　ｃ　「【図面の簡単な説明】
【００９８】
【図１】スクリーンに対する投射装置の位置の一例を示す図である。
【図２】スクリーンを構成する反射面の断面図の一例を示す図である。
【図３】スクリーンを構成する反射面の断面図の一例を示す図である。
【図４】投射装置の位置と一連の反射面の形成方向の関係を説明する図である。
【図５】本実施例のスクリーンの断面図である。
【図６】投射光が直接反射面で反射して観察者側に向かうスクリーンの断面図の一例である。
・・・（中略）・・・
【図１４】反射面を凹面で構成したスクリーンの断面図を示す。
・・・（中略）・・・
【図１】　　　　　　　　　　　　　　　　　　　　　　　　　　　　　
【図２】　　　　　　　　　　　　　　　　　　　　　　　　　　　　　
【図３】　　　　　　　　　　　　　　　　　　　　　　　　　　　　　
【図４】　　　　　　　　　　　　　　　　　　　　　　　　　　　　　
【図５】　　　　　　　　　　　　　　　　　　　　　　　　　　　　　
【図６】
・・・（中略）・・・
【図１４】　　　　　　　　　　　　　　　　　　　　　　　　　　　　
」
（イ）引用文献３に記載された技術事項
　引用文献３の記載中で，「反射素子面（Ｒｆ１＿ｉ），（Ｒｆ２＿ｉ）」という文言が，図２，３等から看取される，反射型スクリーン１００の一方の表面に形成された楔状の突部の２つの面（図１４においては一方の面が凹面となっている。）について，投射光１４を反射する方の面（図１４においては凹面。）のみを指しているのか，それとも，その双方を指しているのかが明確に特定し難いが，便宜上，当該表現を前者を指すものとして用い，他方の面をそれぞれ「接続面Ｒｆ１＿ｉ」，「接続面Ｒｆ２＿ｉ」と表現すると，前記（ア）で摘記した引用文献３の記載から，引用文献３に次の技術事項が記載されていると認められる。
「１００ｃｍ未満といった至近距離に設置された投射装置５０から投射された画像を映し出すことができる反射型スクリーン１００であって，
　前記投射装置５０から投射された投射光１４を反射して観察者側に向かわせる反射面１１を有しており，
　当該反射面１１が，
所定の投射距離Ａだけ離れた位置に設置された投射装置５０から投射される投射光１４の反射光１５が観察者側へ向かって反射するような傾斜角度αで形成された複数の反射素子面（Ｒｆ１＿ｉ）と，隣接する反射素子面（Ｒｆ１＿ｉ）の間を接続する面であって当該反射素子面（Ｒｆ１＿ｉ）とは逆方向の傾斜角度で形成された複数の接続面（Ｒｆ１’＿ｉ）とから構成される一連の反射面１２Ａと，
前記投射距離Ａよりも短い投射距離Ｂだけ離れた位置に設置された投射装置５０から投射される投射光１４の反射光１５が観察者側へ向かって反射するような傾斜角度βで形成された複数の反射素子面（Ｒｆ２＿ｉ）と，隣接する反射素子面（Ｒｆ２＿ｉ）間を接続する面であって当該反射素子面（Ｒｆ２＿ｉ）とは逆方向の傾斜角度で形成された複数の接続面（Ｒｆ２’＿ｉ）とから構成される一連の反射面１２Ｂと，
から構成され，
　前記一連の反射面１２Ａ，１２Ｂは，前記投射装置５０の投射レンズの光軸と反射型スクリーン１００が交わる位置を中心とした同心円の半径方向に沿って，所定数の反射素子面（Ｒｆ１＿ｉ），（Ｒｆ２＿ｉ）毎に交互に形成され，
　前記一連の反射面１２Ａ，１２Ｂの形成位置に応じて，投射光１４の入射角が大きくなるほど，各反射素子面（Ｒｆ１＿ｉ），（Ｒｆ２＿ｉ）の傾斜角度α，βが大きくなるよう設定されている反射型スクリーン１００において，
　前記反射素子面（Ｒｆ１＿ｉ），（Ｒｆ２＿ｉ）を，一方の傾斜角がほぼゼロで，他方の傾斜角は最も近い投射距離に最適化された傾斜角になっている凹面２１で構成することによって，
　投射光１４が凹面２１内の各部にてそれぞれ正反射して，反射光１５が観察者側への並行光とはならないが，ある程度の幅をもたせることができ，投射位置が変わっても画面内の均一性の低下を抑制できること。」（以下，「引用文献３記載事項」という。）
（２）本願発明について
　ア　対比
（ア）　引用発明の「『第１の導光部材１３』の『前面』」，「『第１の導光部材１３』の『後面』」，「第１の導光部材１３」，「反射部材１２」，「『溝状凹部１４』の『２つの側面』のうちの一方」，「『溝状凹部１４』の『２つの側面』のうちの他方」及び「指向性反射板１１」は，本願発明の「『光制御シート』の『第１面』」，「『光制御シート』の『第２面』」，「光制御シート」，「光反射シート」，「第１傾斜面」，「第２傾斜面」及び「パネル部材」にそれぞれ相当する。
（イ）　引用発明の「第１の導光部材１３」（本願発明の「光制御シート」に相当する。以下，「ア　対比」欄において，「」で囲まれた引用発明の構成に付した（）中の文言は，当該引用発明の構成に対応する本願発明の発明特定事項を指す。）は，前面が平坦で，後面に所定方向に沿う溝状凹部１４が所定の間隔で互いに平行に複数列に形成され，各溝状凹部１４の間の平坦な部分がそれぞれ前記前面と平行な面となっているから，「前面」（第１面）と「後面」（第２面）は「対向して配置されている」といえる。
　したがって，引用発明の「第１の導光部材１３」は，本願発明の「光制御シート」と，「対向して配置された第１面および第２面を有する」点で一致する。
（ウ）　引用発明の「反射部材１２」（光反射シート）は，その反射面１２ａが，「第１の導光部材１３の後面」（光制御シートの第２面）の各溝状凹部１４の間の平坦な部分に接面させて貼り付けられているから，「光制御シートの前記第２面に対向して配置されている」といえる。
　したがって，引用発明の「反射部材１２」は，本願発明の「光反射シート」と，「光制御シートの第２面に対向して配置された」点で一致する。
（エ）　引用発明の「第１の導光部材１３の後面」（光制御シートの第２面）には，所定方向に沿う溝状凹部１４が所定の間隔で互いに平行に複数列に形成され，各溝状凹部１４の間の平坦な部分がそれぞれ前記前面と平行な面となっており，前記溝状凹部１４は，互いに逆向きに傾斜する２つの側面を有する断面Ｖ字状であるところ，「溝状凹部１４の２つの側面」（第１傾斜面，第２傾斜面）が「第１の導光部材１３」（光制御シート）のシート面と平行な一方向に交互に配列されたものであることは自明であるから，引用発明の「第１の導光部材１３の後面」は，本願発明の「光制御シートの第２面」と，「光制御シートのシート面と平行な一方向に配列された複数の第１傾斜面と，前記一方向に配列された複数の第２傾斜面と，を含」む点で一致し，引用発明の「溝状凹部１４の２つの側面」は，本願発明の「第１傾斜面および第２傾斜面」と，「一方向に交互に配列され」た点で一致する。
（オ）　引用発明の「溝状凹部１４の２つの側面」（第１傾斜面，第２傾斜面）は，断面Ｖ字状の溝状凹部１４における互いに逆向きに傾斜する２つの側面であるところ，「第１の導光部材１３」（光制御シート）の法線方向と２つの側面の配列方向との両方に平行な断面において，「第１の導光部材１３」（光制御シート）の法線方向に関して逆方向に傾斜していることは自明であるから，本願発明の「第１傾斜面および第２傾斜面」と，「光制御シートの法線方向と一方向（複数の第１傾斜面，第２傾斜面の配列方向）との両方に平行な断面において，光制御シートの法線方向に関して逆方向に傾斜」している点で一致する。
（カ）　引用発明の「溝状凹部１４の２つの側面のうちの一方が第１の導光部材１３と２つの側面の配列方向との両方に平行な断面において，第１の導光部材１３のシート面に対してなす角度」（角度θａ）は「９０°−θ１」及び「９０°−θ２」のうちの一方であり，「溝状凹部１４の２つの側面のうちの他方が第１の導光部材１３と２つの側面の配列方向との両方に平行な断面において，第１の導光部材１３のシート面に対してなす角度」（角度θｂ）は「９０°−θ１」及び「９０°−θ２」のうちの他方になるところ，傾き角度θ１及びθ２が，第１の導光部材１３の前面から入射した所定の入射角度範囲の入射光および反射部材１２で反射された反射光を，第１の導光部材１３の前面から，所定の方向に入射光の入射角度範囲より小さい広がり角で出射するように設定されているから，「９０°−θ１」及び「９０°−θ２」についても，「第１の導光部材１３の前面から入射した所定の入射角度範囲の入射光および反射部材１２で反射された反射光を，第１の導光部材１３の前面から，所定の方向に入射光の入射角度範囲より小さい広がり角で出射するように」設定されたものであるといえる。
　したがって，引用発明は，本願発明と，「第１傾斜面が，光制御シートの法線方向と一方向（複数の第１傾斜面，第２傾斜面の配列方向）との両方に平行な断面において，光制御シートのシート面に対してなす角度θａ，及び，第２傾斜面が，光制御シートの法線方向と一方向（複数の第１傾斜面，第２傾斜面の配列方向）との両方に平行な断面において，光制御シートのシート面に対してなす角度θｂが，それぞれ所定の角度に設定されている」点で共通する。
（キ）　前記（ア）ないし（カ）に照らせば，本願発明と引用発明は，
「対向して配置された第１面および第２面を有する光制御シートと，
　前記光制御シートの前記第２面に対向して配置された光反射シートと，を備え，
　前記光制御シートの第２面は，前記光制御シートのシート面と平行な一方向に配列された複数の第１傾斜面と，前記一方向に配列された複数の第２傾斜面と，を含み，前記第１傾斜面および前記第２傾斜面は前記一方向に交互に配列され，
　前記光制御シートの法線方向と前記一方向との両方に平行な断面において，前記第１傾斜面および前記第２傾斜面は，前記光制御シートの法線方向に関して逆方向に傾斜し，
　前記第１傾斜面が，前記光制御シートの法線方向と前記一方向との両方に平行な断面において，前記光制御シートのシート面に対してなす角度θａ，及び，前記第２傾斜面が，前記光制御シートの法線方向と前記一方向との両方に平行な断面において，前記光制御シートのシート面に対してなす角度θｂが，それぞれ所定の角度に設定されている，パネル部材。」
である点で一致し，次の点で相違する。
相違点１：
　本願発明では，角度θａが光反射シートの側で小さくなるように変化するのに対して，
　引用発明では，（９０°−θ１）及び（９０°−θ２）のいずれも変化しない点。
相違点２：
　本願発明では，「角度θａ，θｂ」が，光制御シートへ第１面から入射して第１傾斜面へ進む光の少なくとも一部分が，第１傾斜面で全反射して第２傾斜面へ向かい，第２傾斜面でさらに全反射して光制御シートの第１面へ向かい，第１面から外部へ出射されるような角度に設定されているのに対して，
　引用発明では，「（９０°−θ１）及び（９０°−θ２）」（角度θａ，θｂ）が，「第１の導光部材１３の前面」（第１面）から入射した所定の入射角度範囲の入射光および反射部材１２で反射された反射光を，「第１の導光部材１３の前面」（第１面）から，所定の方向に入射光の入射角度範囲より小さい広がり角で出射するような角度に設定されており，当該角度が本願発明のような角度であるのか否かは不明な点。
　イ　判断
　事案に鑑み，まず相違点１について判断する。
（ア）　引用発明は，前方から入射する自然光や室内光などの外光を透過型表示パネル１０の後面で反射し，その反射光によって透過型表示パネル１０を後面から照明して表示する反射型表示装置において，外光を反射するための反射板として用いられる指向性反射板１１であり，引用発明において，第１の導光部材１３の前面における各点に入射する外光は，決まった方向から来るのでなく，様々な方向から来るのであって，引用発明は，このような外光のうちの所定の入射角度範囲の入射光をこれよりも小さな広がり角で出射するものである。また，引用発明の第１の導光部材１３の後面における光学界面１６ａ，１６ｂは，当該光学界面１６ａ，１６ｂへの入射光をその入射角に応じて反射又は透過させるという作用，機能を有するものである。
　これに対して，引用文献３記載事項が前提とするのは，１００ｃｍ未満といった至近距離に設置された投射装置５０から投射された画像を映し出すことができる反射型スクリーン１００であり，引用文献３記載事項が前提とする反射型スクリーン１００において，前面の各点に入射する投射光１４は，様々な方向から来るものではなく，決まった方向（投射装置５０が設置された位置）から来るものであって，当該反射スクリーン１００は，このような投射光１４を観察者側へ反射できるようにしたものである。また，引用文献３に，反射素子面（Ｒｆ１＿ｉ），（Ｒｆ２＿ｉ）の具体的構造等についての説明はないものの，【００６５】や図６に投射光１４の入射側の面に形成する態様が記載されていることからみて，全反射を利用したものでなく，金属を蒸着する等の鏡面反射を利用したものであることが当業者に自明であるから，引用文献３記載事項が前提とする反射型スクリーン１００の反射素子面（Ｒｆ１＿ｉ），（Ｒｆ２＿ｉ）は，入射した投射光１４を入射角によらず常に反射するよう構成されたものである。
　すなわち，引用発明が用いられる反射型表示装置と引用文献３記載事項の前提である投射装置５０及び反射型スクリーン１００からなる表示装置とは，表示装置という点で共通するものの原理の異なる装置であり，引用発明の「第１傾斜面」や「第２傾斜面」と引用文献３記載事項の「反射素子面（Ｒｆ１＿ｉ），（Ｒｆ２＿ｉ）」とは，異なる作用，機能を果たすものである。
　そうすると，当業者は，引用文献３記載事項における「反射素子面（Ｒｆ１＿ｉ），（Ｒｆ２＿ｉ）」の形状を，引用発明における「第１傾斜面」や「第２傾斜面」の形状として採用しようとすることはないというべきである。
（イ）　加えて，引用文献１の【０００２】ないし【０００９】の記載（前記（１）ア（ア）ａ）から理解されるように，引用発明は，外光を反射するための反射板として散乱反射板を用いた場合の，出射する光の広がり角が大きいため，観察される表示が暗くなってしまうという問題を解決するために，指向性反射板としたものである。
　これに対して，引用文献３記載事項における「反射素子面（Ｒｆ１＿ｉ），（Ｒｆ２＿ｉ）」における凹面形状は，投射光１４が凹面２１内の各部にてそれぞれ正反射して，反射光１５が観察者側への並行光とはならないが，ある程度の幅をもたせることができ，投射位置が変わっても画面内の均一性の低下を抑制できるようにするために採用される構成であるところ，当該形状を引用発明において採用したのでは，出射する光の広がり角が大きくなってしまい，引用発明の技術的意義を損なってしまうことになってしまう。
　そうすると，引用文献３記載事項における「反射素子面（Ｒｆ１＿ｉ），（Ｒｆ２＿ｉ）」の形状を，引用発明における「第１傾斜面」や「第２傾斜面」の形状として採用することには，阻害要因があるというべきである。
（ウ）　前記（ア）及び（イ）のとおりであるから，引用発明において引用文献３記載事項を適用することが，当業者にとって容易に想到し得たこととはいえない。
　また，反射型表示装置における外光を反射するための指向性反射板において，相違点１に係る本願発明の発明特定事項のように構成することが周知の事項であったことを示す証拠も見当たらないから，引用発明において相違点１に係る本願発明の発明特定事項を採用することが，原査定の拒絶の理由でいうような周知の事項に基づいて容易になし得たことであるともいえない。
　そして，本願発明は，相違点１に係る本願発明の発明特定事項を具備することによって，本件明細書の【００９２】に記載された「第１傾斜面で反射した光が，その後に，第２傾斜面に入射することなく，パネル部材の出光面となる第１面へ進むことを効果的に防止できる」という効果，又は【００９５】に記載された「パネル部材上での各位置の輝度の角度分布がなだらかになる」という効果を奏するものと認められる。
　したがって，相違点２について判断するまでもなく，本願発明は，引用発明に基づいて，当業者が容易に発明をすることができたものではない。
（３）請求項８に係る発明について
　請求項８には，相違点１に係る本願発明の発明特定事項と同じ発明特定事項が記載されているから，本願発明と同様の理由で，請求項８に係る発明は，引用発明に基づいて，当業者が容易に発明をすることができたものではない。
（４）請求項２ないし７及び９ないし１９に係る発明について
　請求項２ないし７はいずれも請求項１の記載を直接又は間接的に引用する形式で記載されたものであり，請求項９ないし１９はいずれも請求項１又は８の記載を直接又は間接的に引用する形式で記載されたものであって，請求項２ないし７及び９ないし１９に係る発明は，いずれも，請求項１又は８に係る発明の発明特定事項を全て有し，他の発明特定事項を付加したものに該当するところ，前記（２）及び（３）で述べたとおり，請求項１及び８に係る発明が，引用発明に基づいて，当業者が容易に発明をすることができたものでない以上，請求項２ないし７及び９ないし１９に係る発明も，同様の理由で，引用発明に基づいて，当業者が容易に発明をすることができたものでない。
２　引用文献２に記載された発明を主引例とする拒絶の理由について
　引用文献２には，前方のプロジェクター等の画像投射装置からの投射光を反射して投影画像を映し出すスクリーンに関する発明が記載されているところ，当該スクリーンに関する発明において，投射光を反射する反射面は，基板１の主面１ａ上に，アルミ蒸着等により形成された複数のプリズム部分２ａの表面部分に形成された光反射部ＰＰにより構成され（【００３１】，【００３４】等），隣接する前記光反射部ＰＰの間を接続する面は，光吸収部ＡＳとして構成されており（【００３６】等），本願発明の「第１傾斜面」及び「第２傾斜面」のように，光の少なくとも一部分を「全反射」するものではない。
　そして，この点は，引用文献３にも記載されていない（前記１（１）イ（ア）を参照。）。
　また，前方のプロジェクター等の画像投射装置からの投射光を反射して投影画像を映し出すスクリーンにおいて，投射光を反射する反射面を，入射光の少なくとも一部分を「全反射」し，その余の入射光を屈折させるような面で構成することが，本願の出願前に周知であったことを示す証拠も見当たらない。
　したがって，引用文献２に記載された発明に，引用文献３記載事項を適用しても，本願発明の構成には至らないし，引用文献２に記載された発明において，投射光を反射する反射面を前述のような構成とすることが，原査定の拒絶の理由でいうような周知の事項に基づいて容易になし得たことであるともいえないから，本願発明は引用文献２に記載された発明に基づいて容易に発明をすることができたものではない。
　また，「第１傾斜面」及び「第２傾斜面」が，光の少なくとも一部分を「全反射」することは，本願の請求項８に記載された発明特定事項であるから，本願発明と同様の理由で，引用文献２に記載された発明に，引用文献３記載事項を適用しても，本願の請求項８に係る発明の構成には至らないし，引用文献２に記載された発明において，投射光を反射する反射面を前述のような構成とすることが，原査定の拒絶の理由でいうような周知の事項に基づいて容易になし得たことであるともいえないから，本願の請求項８に係る発明は引用文献２に記載された発明に基づいて容易に発明をすることができたものではない。
　さらに，請求項２ないし７はいずれも請求項１の記載を直接又は間接的に引用する形式で記載されたものであり，請求項９ないし１９はいずれも請求項１又は８の記載を直接又は間接的に引用する形式で記載されたものであって，請求項２ないし７及び９ないし１９に係る発明は，いずれも，請求項１又は８に係る発明の発明特定事項を全て有し，他の発明特定事項を付加したものに該当するところ，前述のとおり，本願の請求項１及び８に係る発明が，引用文献２に記載された発明に基づいて容易に発明をすることができたものでない以上，本願の請求項２ないし７及び９ないし１９に係る発明も，同様の理由で，引用文献２に記載された発明に基づいて容易に発明をすることができたものでない。
　したがって，本願の請求項１ないし１９に係る発明は，引用文献２に記載された発明に基づいて，当業者が容易に発明をすることができたものでない。
第６　当審拒絶理由についての判断
　平成２９年８月２９日提出の手続補正書による補正によって，請求項１及び８において「光制御シートへ第１面から入射して第１傾斜面へ進む光の少なくとも一部分が，第１傾斜面で全反射して第２傾斜面へ向かい，第２傾斜面でさらに全反射して光制御シートの第１面へ向かい，第１面から外部へ出射され」ることが特定されたことで，補正後の各請求項の記載は，本件明細書の発明の詳細な説明の記載や出願時の技術常識に照らし，当業者が発明の課題を解決できると認識できる範囲のものとなり，サポート要件違反は解消された。
第７　むすび
　以上のとおり，原査定の理由によっては，本願を拒絶することはできない。
　また，他に本願を拒絶すべき理由を発見しない。
　よって，結論のとおり審決する。